(57)【要約】  【課題】  筐体の中に収容された空気調和機本体に表示部を有し，筐体の開口部を覆うカバー部に表示窓部を有する空気調和機において，複数の表示灯それぞれを予め個別に遮光性部材で区割しておく技術を用いる場合であっても，上記複数の表示灯それぞれからの光が漏れないように，カバー部材と空気調和機本体との間の隙間の発生を防止すること。  【解決手段】  カバー部材を閉じると，該カバー部材の一部である表示パネル２１０の磁石収容用凹部２２１に収容された磁石４２１と，ＬＥＤカバー１２０に埋め込まれた磁性体部材４１１との間に吸引力が生じる。  ＬＥＤカバー１２０は，カバー部材の表面に垂直の方向へスライド自在に取り付けられており，表示パネル２１０に対して磁気的に付勢される。  これによって，ＬＥＤ収容用凹部１２１ないし１２３の開口端周縁部と表示パネル２１０の裏面とを密接させ，隙間をなくす。【選択図】  図１
2005315470.tif 000002
【特許請求の範囲】
【請求項１】
筐体の中に収容された空気調和機本体と，上記筐体の開口部を覆うカバー部材とを有し，
上記空気調和機本体が，空気調和機の各種状態を表示する複数の表示灯と，上記複数の表示灯それぞれを個別に収容する遮光性の表示灯収容部とを備え，
上記カバー部材が，遮光性材料からなり，該カバー部材によって上記開口部を閉じた際に上記複数の表示灯から発せられた各々の光を透過するべく上記複数の表示灯にそれぞれ対向して設けられた複数の表示窓部を備えてなる空気調和機において，
上記表示灯収容部と上記カバー部材とを密接させる密接手段を備えてなることを特徴とする空気調和機。
【請求項２】
上記複数の表示灯が上記表示灯収容部に並列的に形成された複数の凹部の底部にそれぞれ収容され，
上記密接手段が，
上記表示灯収容部の上記凹部の開口端周縁部と，上記カバー部材の裏面とを密接させるものである請求項１に記載の空気調和機。
【請求項３】
上記表示灯収容部が上記カバー部材の表面に垂直の方向へスライド自在に上記空気調和機本体に取り付けられ，
上記密着手段が，上記表示灯収容部を上記カバー部材に対して磁気的あるいは弾性的に付勢するものである請求項１又は２のいずれかに記載の空気調和機。
【発明の詳細な説明】
【技術分野】
【０００１】
本発明は，運転状態等の各種状態を表示するための複数の表示灯を有する空気調和機に関し，特に，上記表示灯を装置本体側に有すると共に，本体とは別のカバー部材に表示窓部を有する空気調和機に関する。
【背景技術】
【０００２】
空気調和機の運転状態等の各種状態を表示するために，ＬＥＤ等の複数の表示灯を用いる技術が知られている。例えば，冷房運転時には緑色のＬＥＤを点灯させ，暖房運転時には橙色のＬＥＤを点灯させ，あるいは風速（強・中・弱）に応じて点灯させるＬＥＤを変えるものがある。また，７セグメントＬＥＤによって設定温度，現在室温等を表示させるものもある。
このような複数の表示灯を有する空気調和機は，それぞれの表示灯から発せられた光それぞれを透過する表示窓部を有しているが，これら複数の表示灯が同時に点灯された際に表示窓部に到達する光が互いに干渉したり，あるいは点灯されていない表示灯に対応する表示窓部に点灯中の表示灯から発せられた光が漏れたりすると表示灯の視認性が落ち，表示状態の誤認を招くという問題点がある。
【０００３】
このような問題点を解決する技術として，表示灯をリブによって各々区割する技術が知られている（例えば，特許文献１参照）。
図１０は上記特許文献１に記載された表示灯をリブによって区割した空気調和機の構成図である（特許文献１の第１図ないし第４図を引用）。図１０（ａ）に示されるように，表示手段２の前面のみを透過可能とした化粧板１２の裏面には区割用のリブ１７が一体に形成されている。リブ１７は遮光性を有し，このリブ１７を回路基板１に押圧することで発光手段２から発せられた光が漏れるのを防ぎ，上記のような誤認を防止することができる。
ここで，図１０（ｂ）に示されるように，回路基板１の背面には弾性係片１８が設けられているため，リブ１７が回路基板１の表面に当接しても，回路基板１の背面で弾性係片１８の厚み寸法でその押圧力を吸収する構成になっている。
また，図１０（ｃ）及び（ｄ）に示されるように，回路基板１の背面に上記弾性係片１８を設ける代わりに，発泡性合成樹脂等からなる弾性部材１６を取り付ける技術も開示されている。
【特許文献１】実開平１−１７２６１９号公報
【発明の開示】
【発明が解決しようとする課題】
【０００４】
上記従来技術では，リブ１７が化粧板１２（カバー部材の一部）の裏面に一体に形成されていることが前提となっている。
しかしながら，例えば図９に示す室内外一体型空気調和機ＡＣのようにカバー部材２００の一部である表示パネル２１０に表示窓部２１１ないし２１３が一体に形成されている空気調和機においては，表示パネル２１０の裏面にリブを設けて発光手段を区割することは困難である。
これは，図９に例示されるように，空気調和機本体１００が筐体３００に収容され，該筐体３００の開口部を開閉自在に設けられたカバー部材２００によって覆うような場合，空気調和機本体１００，カバー部材２００，筐体３００の寸法と比較して，極めて微小な部品である表示灯を，表示パネル２１０の裏面に設けられたリブで区割するためには，極めて高精度な設計技術が要求されるためである。
また，空気調和機本体１００は重量が大きく，これを収容する筐体３００が変形したり，表示パネル２１０が温度変化等によって変形したりすることもある。たとえ，これらの変形が微小であったとしても，上記のように，表示灯は極めて微小であることから，これをリブによって区割できなくなることがしばしばである。
そこで，表示パネル２１０の裏面に設けられたリブによって表示灯を区割するのではなく，複数の表示灯それぞれを予め個別に遮光性部材で区割しておく技術が一般的に知られている。しかしながら，この技術では，上記遮光性部材と上記カバー部材との間に隙間がある場合には，その隙間から光が漏れるという問題点があった。
このような問題は，空気調和機本体１００を筐体３００内に収容し，カバー部材２００で上記筐体３００の正面開口をふさぐという上記従来の空気調和機の基本構造から来るものであり，大型の筐体３００に大型の空気調和機本体１００を収容するために精確な位置決め寸法を得ることができず，どうしてもカバー部材２００と空気調和機本体１００との間に相当の隙間が生じてしまうことから来るものである。
本発明は，このような事情に鑑みてなされたものであり，その目的とするところは，複数の表示灯それぞれを予め個別に遮光性部材で区割しておく技術において，光の漏れを生じることがないように，上記のようなカバー部材と空気調和機本体との間の隙間の発生を防止することができる空気調和機を，なるべく簡易且つ低コストな構成にて提供することである。
【課題を解決するための手段】
【０００５】
上記目的を達成するために，本発明は，筐体の中に収容された空気調和機本体と，上記筐体の開口部を覆うカバー部材とを有し，上記空気調和機本体が，空気調和機の各種状態を表示する複数の表示灯と，上記複数の表示灯それぞれを個別に収容する遮光性の表示灯収容部とを備え，上記カバー部材が，遮光性材料からなり，該カバー部材によって前記開口部を閉じた際に上記複数の表示灯から発せられた各々の光を透過するべく上記複数の表示灯にそれぞれ対向して設けられた複数の表示窓部を備えてなる空気調和機において，上記表示灯収容部と上記カバー部材とを密接させる密接手段を備えてなることを特徴とする空気調和機として構成されている。
これによって，設計上あるいは変形によってカバー部材と表示灯収容部との間に隙間を生じるような場合であっても，これらが密接手段によって互いに密接されるため，表示灯から発せられた光が，該表示灯に対向する表示窓部以外の表示窓部へ漏れることを防止できる。したがって，表示状態の誤認も防止できる。
【０００６】
上記複数の表示灯が上記表示灯収容部に並列的に形成された複数の凹部の底部にそれぞれ収容され，上記密接手段が，上記表示灯収容部の上記凹部の開口端周縁部と，上記カバー部材の裏側面とを密接させるものであっても良い。
複数の凹部の底部にそれぞれ表示灯が収容され，その凹部の開口端周縁部とカバー部材の裏側面とが密接されていれば，上記のような光の漏れを防止することができる。
【０００７】
また，上記表示灯収容部が上記カバー部材の表面に垂直の方向へスライド自在に上記空気調和機本体に取り付けられ，上記密着手段が，上記表示灯収容部を上記カバー部材に対して磁気的あるいは弾性的に付勢するものであれば望ましい。  簡易且つ低コストで構成できるからである。
【発明の効果】
【０００８】
以上のように本発明によれば，複数の表示灯それぞれを予め個別に遮光性部材で区割しておく（表示灯収容部に収容する）技術において，表示灯収容部とカバー部材とが密接されるため，複数の表示灯それぞれが，遮光性の表示灯収容部と，同じく遮光性材料からなるカバー部材とによって包囲される。これによって，複数の表示灯から発せられた光の表示窓部方向への光路以外の光路が遮蔽されるため，これら複数の表示灯が同時に点灯された際に表示窓部に到達する光が互いに干渉したり，あるいは点灯されていない表示灯に対応する表示窓部に点灯中の表示灯から発せられた光が漏れたりすることがなく，表示状態の誤認を防止でき，好適な状態表示が可能となる。
上記複数の表示灯は予め表示灯収容部に収容されるため，カバー部材の裏面にリブを設けて表示灯を区割する従来技術とは異なり，高精度な設計は要求されず，また，カバー部材等の変形が生じた場合であっても，光の漏れを防ぐことができる。
【発明を実施するための最良の形態】
【０００９】
以下，添付図面を参照して，本発明の実施の形態及び実施例につき説明し，本発明の理解に供する。尚，以下の実施の形態及び実施例は本発明を具体化した一例であって，本発明の技術的範囲を限定する性格のものではない。
ここに，図１は本発明の一実施形態に係る空気調和機の主要部である表示ユニットＩ１の分解図，図２はカバー部材２００によって筐体３００の開口部を閉じた際の上記表示ユニットＩ１の概略構成を示す概略構成図であって，（ａ）は正面図，（ｂ）は（ａ）のＡ−Ａ矢視断面図，（ｃ）は（ａ）のＢ−Ｂ矢視断面図，図３は本発明の他の実施形態に係る空気調和機の主要部である表示ユニットＩ２の分解図，図４はカバー部材２００によって筐体３００の開口部を閉じた際の上記表示ユニットＩ２の概略構成を示す概略構成図であって，（ａ）は正面図，（ｂ）は（ａ）のＡ−Ａ矢視断面図，（ｃ）は（ａ）のＢ−Ｂ矢視断面図，図５は，本発明の第１の実施例に係る空気調和機の主要部である表示ユニットＩ３の分解図，図６はカバー部材２００によって筐体３００の開口部を閉じた際の上記表示ユニットＩ３の概略構成を示す概略構成図であって，（ａ）は正面図，（ｂ）は（ａ）のＡ−Ａ矢視断面図，（ｃ）は（ａ）のＢ−Ｂ矢視断面図，図７は本発明の第２の実施例に係る空気調和機の主要部である表示ユニットＩ４の分解図，図８はカバー部材２００によって筐体３００の開口部を閉じた際の上記表示ユニットＩ４の概略構成を示す概略構成図であって，（ａ）は正面図，（ｂ）は（ａ）のＡ−Ａ矢視断面図，（ｃ）は（ａ）のＢ−Ｂ矢視断面図，図９は本発明の実施形態及び実施例に係る空気調和機の一例である室内外一体型空気調和機ＡＣの外観図であって，（ａ）は斜視図，（ｂ）は分解図である。
【００１０】
はじめに，図９の外観図を用いて本発明の実施形態に係る空気調和機の一例である室内外一体型空気調和機ＡＣの概略構成について説明する。図９に示されるように本発明の実施の形態に係る空気調和機ＡＣは，筐体３００とこの筐体３００内に収容される空気調和機本体１００，及び筐体３００の開口部を開閉自在に覆うカバー部材２００とを有している。尚，図９では筐体３００の正面側に開口部があり，これをカバー部材２００が覆う構成となっているが，これに限られるものではなく，筐体の上下面，側面，若しくは背面に開口部があっても良い。以下では，代表的に正面側に開口部がある場合の実施形態及び実施例について説明するが，これに限定する性格のものではない。
また，空気調和機本体１００には表示部１０１が設けられており，カバー部材２００によってカバー部材を閉じた際に，カバー部材２００の表示部１０１に対向する位置には表示パネル２１０が形成されている。表示パネル２１０には，表示窓部２１１ないし２１３が設けられている
この表示部１０１と表示パネル２１０とによって構成される表示ユニットＩが本発明の主要部であり，以下に表示ユニットＩの構成例を説明する。
【００１１】
まず，図１の分解図を用いて，本発明の実施の形態に係る空気調和機の主要部である表示ユニットＩ１（上記表示ユニットＩの一例）の概略構成について説明する。図１に示されるように，本発明の実施の形態に係る空気調和機の表示ユニットＩ１の表示部１０１は，ＬＥＤ１１１ないし１１３（表示灯の一例）が実装されたＬＥＤ基板１１０，ＬＥＤカバー１２０（表示灯収容部の一例），ＬＥＤホルダ１３０，を備えて構成されている。
ＬＥＤカバー１２０は，遮光性を有し，その表面には，ＬＥＤ１１１ないし１１３それぞれを個別に収容するための，表面側が開口されたＬＥＤ収容用凹部１２１ないし１２３が並列的に形成されている。また，ＬＥＤカバー１２０表面の凹部１２１ないし１２３以外の部位には，鉄等の磁性体部材４１１が埋め込まれている。さらに，裏面には係止突起部１４１が形成された係止片１４０が後方へ突出して設けられている。
上記ＬＥＤ基板１１０は，ＬＥＤ１１１ないし１１３が上記凹部１２１ないし１２３にそれぞれ収容されるように位置合わせされ，上記ＬＥＤカバー１２０内に嵌入された後，ＬＥＤカバー１２０内に固定される。このとき，図１に示されるように，ＬＥＤ基板１１０に上記係止片１４０を貫通させるための係止片貫通用孔１１４を設けておけば，上記係止片１４０の取付幅よりＬＥＤ基板１１０の幅の方が広くても，上記ＬＥＤ基板１１０を図示のようにＬＥＤカバー１２０との平行状態を保ったままで，ＬＥＤカバー１２０内に嵌入することが可能となる。
ＬＥＤ基板１１０が固定された後，ＬＥＤカバー１２０は，ＬＥＤホルダ１３０内に嵌入される。このとき，上記係止片１４０はＬＥＤホルダ１３０に形成された係止孔１３１に摺動自在に嵌入される。
一方，本発明の実施の形態に係る空気調和機の表示ユニットＩ１の表示パネル２１０（カバー部材２００の一部）には，例えば透明合成樹脂のような透光性部材からなる表示窓部２１１ないし２１３が設けられている。これら表示窓部２１１ないし２１３は，カバー部材２００が上記筐体３００の開口部を閉じるように取り付けられた際に，上記ＬＥＤ１１１ないし１１３から発せられた各々の光を透過するべく，上記ＬＥＤ１１１ないし１１３（即ち，上記ＬＥＤ収容用凹部１２１ないし１２３の開口部）とそれぞれ対向して設けられている。この表示パネル２１０の上記表示窓部２１１ないし２１３以外の部位は，遮光性の材料からなっている。また，裏面には磁石４２１と略同一形状の磁石収容用凹部２２１が形成され，ここに磁石４２１が埋め込まれる。
【００１２】
続いて，図２の概略構成図を用いて，カバー部材２００によって筐体３００の開口部を閉じた際の上記表示ユニットＩ１の取り付け状態について説明する。
図２（ａ）は，上記表示ユニットＩ１の正面図であり，図２（ｂ）は，カバー部材２００によって筐体３００の開口部を閉じた状態における図２（ａ）のＡ−Ａ矢視断面図，図２（ｃ）は，図２（ａ）のＢ−Ｂ矢視断面図である。
図２（ｂ）に示されるように，ＬＥＤカバー１２０の表面Ｋに並列的に形成されたＬＥＤ収容用凹部１２１ないし１２３の底部には，表示灯の一例であるＬＥＤ１１１ないし１１３それぞれが個別に収容されている。ここでは，表示灯として，各々一個ずつのＬＥＤを収容する場合を例として挙げているが，複数のＬＥＤで一の表示灯を構成するような場合であっても良く，このような場合であっても本発明の範囲内である。尚，複数のＬＥＤで一の表示灯を構成する場合とは，例えば，冷房運転時に緑色に発色するＬＥＤと，暖房運転時に橙色に発色するＬＥＤとが，同じＬＥＤ収容用凹部内に収容され，同じ表示窓部から点灯される場合のように，複数のＬＥＤの組み合わせによって状態表示を行なう場合等をいう。また，表示灯は，ＬＥＤ若しくはその組み合わせに限られるものではなく，他の発光体若しくはその組み合わせを用いても当然良い。
ＬＥＤカバー１２０に設けられた係止片１４０の長さは，カバー部材２００を筐体３００に取り付けたとき，その先端の係止突起部１４１が破線で示す（１４１´）ように係止孔１３１を通過した後，更に距離Ｌだけ深く差し込まれるような長さに設定されている。即ち，ＬＥＤホルダ１２０は，この係止片１４０と係止孔１３１とによって，カバー部材２００の表面に垂直の方向（この実施形態の場合は前後方向）へ長さＬだけスライド自在に空気調和機本体１００に取り付けられている。
また図２（ｂ）及び（ｃ）に示されるように，磁性体部材４１１は，ＬＥＤカバー１２０の表面と面一になるように埋め込まれており，同様に磁石４２１も，表示パネル２１０の裏面と面一になるように埋め込まれている。
【００１３】
したがって，カバー部材２００を閉じると，磁石４２１と磁性体部材４１１との間に吸引力が生じ，ＬＥＤカバー１２０がカバー部材２００方向にスライドし，カバー部材２００の一部である表示パネル２１０に対して磁気的に付勢される。
これによって，図２（ｂ）及び（ｃ）に示されるように，カバー部材２００の一部である表示パネル２１０の裏面とＬＥＤカバー１２０のＬＥＤ収容用凹部１２１ないし１２３の開口端周縁部との隙間がなくなり，ＬＥＤ１１１ないし１１３から発せられた光の，上記表示窓部２１１ないし２１３以外の方向への光路が遮蔽される。したがって，各々の表示灯から発せられた光は，対応する表示窓部２１１ないし２１３以外の表示窓部へ漏れることがなく，表示状態の誤認を防止することができる。
尚，図２（ｃ）に示されるように，ＬＥＤホルダ１３０は，例えば螺子１０１によって空気調和機本体１００に固定され，空気調和機本体１００の一部をなす。また，カバー部材２００を開いた際には，係止突起部１４１がＬＥＤホルダ１３０係合することで，ＬＥＤカバー１２０がＬＥＤホルダ１３０から脱落することがないよう構成されている。
【００１４】
上記実施の形態では，ＬＥＤカバー１２０に磁性体部材４１１が埋め込まれている場合を挙げたが，ＬＥＤカバー１２０そのものが磁性体からなるものであれば，磁性体部材４１１を埋め込む必要はない。また，図３及び図４に示すように，表示パネル２１０側の磁性体収容用凹部２２２に磁性体４１２が，ＬＥＤカバー１２０に磁石４２２が埋め込まれているような場合であっても良く，このような場合であっても本発明の範囲内である。さらに，表示パネル２１０及びＬＥＤカバー１２０共に磁石が埋め込まれていても良い。
また，上記実施の形態では，磁性体部材４１１，４１２及び磁石４２１，４２２が，表示パネル２１０とＬＥＤカバー１２０との当接面と面一になるように埋め込まれている場合を挙げているが，これに限られるものではなく，要するに，磁性体部材４１１，４１２と磁石４２１，４２２とが磁気的に結合された際に，ＬＥＤ収容用凹部１２１ないし１２３の開口端周縁部とカバー部材２００の裏面とが密接されることで，光の漏れを防止する構成となっていれば良い。
【００１５】
以上のような構成によって，複数の表示灯それぞれを予め個別に表示灯収容部に収容する場合において，表示灯収容部とカバー部材とが密接されるため，複数の表示灯それぞれが，遮光性の表示灯収容部と，同じく遮光性材料からなるカバー部材とによって包囲される。これによって，複数の表示灯から発せられた光の表示窓部方向への光路以外の光路が遮蔽されるため，これら複数の表示灯が同時に点灯された際に表示窓部に到達する光が互いに干渉したり，あるいは点灯されていない表示灯に対応する表示窓部に点灯中の表示灯から発せられた光が漏れたりすることがなく，表示状態の誤認を防止でき，好適な状態表示が可能となる。
このように，ＬＥＤカバー１２０をカバー部材２００の表面に垂直の方向へスライド自在に空気調和機本体１００に取り付け，上記ＬＥＤカバー１２０をカバー部材２００に対して磁気的に付勢するのが，表示灯収容部とカバー部材とを密接させる密接手段の一例である。
以下の実施例においては，密接手段の他の例について説明する。
【実施例１】
【００１６】
続いて，図５ないし図８を用いて，本発明の実施例について説明する。
図５は，本発明の第１の実施例に係る空気調和機の主要部である表示ユニットＩ３の概略構成を示す分解図，図６（ａ）は，上記表示ユニットＩ３の正面図であり，図２（ｂ）は，カバー部材２００によって筐体３００の開口部を閉じた状態における図２（ａ）のＡ−Ａ矢視断面図，図２（ｃ）は，図２（ａ）のＢ−Ｂ矢視断面図である。
まず図５の分解図を用いて，本発明の実施の第１の実施例に係る空気調和機の主要部である表示ユニットＩ３の概略構成について説明する。
図５に示されるように，本発明の第１の実施例に係る空気調和機の表示ユニットＩ３は，上記実施の形態と同様，ＬＥＤ１１１ないし１１３が実装されたＬＥＤ基板１１０，ＬＥＤカバー１２０，ＬＥＤホルダ１３０を備える表示部１０１と，表示パネル２１０とによって構成される。
ＬＥＤカバー１２０は上記実施形態の場合と略同一の構成であるが，磁性体部材４１１若しくは磁石４２２を埋め込む必要がない点，及び裏面には係止片１４０に加えて，リブ１２４が設けられている点が異なる。
ＬＥＤ基板１１０も上記実施形態の場合と略同一の構成であるが，ＬＥＤ基板１１０をＬＥＤカバー１２０内に嵌入する際に，リブ１２４が干渉するようであれば，基板１１０に切欠１１５を形成しておけば良い。
ＬＥＤホルダ１３０には，係止孔１３１に加えて，掛止部１３２が設けられており，これに上記リブ１２４が当接する紐状弾性体１３３が掛止されている。
表示パネル２１０には，上記実施の形態の場合と同様に表示窓部２１１ないし２１３が設けられているが，磁石収容用凹部２２１若しくは磁性体部材収容部２２２を設ける必要はない。
【００１７】
次に，図６の概略構成図を用いて，カバー部材２００によって筐体３００の開口部を閉じた際の上記表示部Ｉ３の取り付け状態について，表示ユニットＩ１と異なる部分を主に説明する。
図６（ａ）は，上記表示ユニットＩ３の正面図であり，図２（ｂ）は，図２（ａ）のＡ−Ａ矢視断面図，図２（ｂ）は，図２（ａ）のＢ−Ｂ矢視断面図である。
この第１の実施例に係る空気調和機の主要部である表示ユニットＩ３においては，カバー部材２００を閉じたときに上記リブ１２４が紐状弾性体１３３に当接されることでＬＥＤホルダ１２０が上記カバー部材２００の一部である表示パネル２１０に対して弾性的に付勢される。
これによって，図６（ｂ）及び（ｃ）に示されるように，カバー部材２００の一部である表示パネル２１０の裏面とＬＥＤカバー１２０のＬＥＤ収容用凹部１２１ないし１２３の開口端周縁部との隙間がなくなり，ＬＥＤ１１１ないし１１３から発せられた光の，上記表示窓部２１１ないし２１３以外の方向への光路が遮蔽される。したがって，この実施例の場合も，各々の表示灯から発せられた光は，対応する表示窓部以外の表示窓部へ漏れることがなく，表示状態の誤認を防止することができる。
この場合，紐状弾性体１３３の太さを変えることで，ＬＥＤカバー１２０を表示パネル２１０に対して付勢する圧力を容易に調整できる。
【実施例２】
【００１８】
上記第１の実施例では，紐状弾性体１３３を使用することでＬＥＤカバー１２０をカバー部材２００に対して弾性的に付勢する例を挙げたが，図７及び図８に示すように，他の一例としてＬＥＤホルダ１３０に板バネ１３４を設けても良い。
この場合，図８（ｂ）及び（ｃ）に示されるように，板バネ１３４がＬＥＤ基板１１０の裏面と当接して，ＬＥＤ基板１１０をカバー部材２００方向へ押圧することによって，ＬＥＤホルダ１２０が上記カバー部材２００の一部である表示パネル２１０に対して弾性的に付勢される。
これによって，上記実施形態並びに実施例と同様に，各々の表示灯から発せられた光が，対向する表示窓部以外の表示窓部へ漏れることを防ぎ，表示状態の誤認を防止することができる。
【図面の簡単な説明】
【００１９】
【図１】本発明の一実施形態に係る空気調和機の主要部である表示ユニットＩ１の分解図。
【図２】カバー部材２００によって筐体３００の開口部を閉じた際の上記表示ユニットＩ１の概略構成を示す概略構成図であって，（ａ）は正面図，（ｂ）は（ａ）のＡ−Ａ矢視断面図，（ｃ）は（ａ）のＢ−Ｂ矢視断面図。
【図３】本発明の他の実施形態に係る空気調和機の主要部である表示ユニットＩ２の分解図。
【図４】カバー部材２００によって筐体３００の開口部を閉じた際の上記表示ユニットＩ２の概略構成を示す概略構成図であって，（ａ）は正面図，（ｂ）は（ａ）のＡ−Ａ矢視断面図，（ｃ）は（ａ）のＢ−Ｂ矢視断面図。
【図５】本発明の第１の実施例に係る空気調和機の主要部である表示ユニットＩ３の分解図。
【図６】カバー部材２００によって筐体３００の開口部を閉じた際の上記表示ユニットＩ３の概略構成を示す概略構成図であって，（ａ）は正面図，（ｂ）は（ａ）のＡ−Ａ矢視断面図，（ｃ）は（ａ）のＢ−Ｂ矢視断面図。
【図７】本発明の第２の実施例に係る空気調和機の主要部である表示ユニットＩ４の分解図。
【図８】カバー部材２００によって筐体３００の開口部を閉じた際の上記表示ユニットＩ４の概略構成を示す概略構成図であって，（ａ）は正面図，（ｂ）は（ａ）のＡ−Ａ矢視断面図，（ｃ）は（ａ）のＢ−Ｂ矢視断面図。
【図９】本発明の実施形態及び実施例に係る空気調和機の一例である室内外一体型空気調和機ＡＣの外観図であって，（ａ）は斜視図，（ｂ）は分解図。
【図１０】従来の空気調和機の表示部近傍の構成図（特許文献１の第１図ないし第４図）。
【符号の説明】
【００２０】
１００・・・  空気調和機本体
１０１・・・  表示部
１１０・・・  ＬＥＤ基板
１１１〜１１３・・・  ＬＥＤ（表示灯の一例）
１１４・・・  係止片貫通用孔
１１５・・・  切欠
１２０・・・  ＬＥＤカバー（表示灯収容部の一例）
１２１〜１２３・・・  ＬＥＤ収容用凹部
１２４・・・  リブ
１３０・・・  ＬＥＤホルダ
１３１・・・  係止孔
１３２・・・  掛止部
１３３・・・  紐状弾性体
１３４・・・  板バネ
１４０・・・  係止片
１４１・・・  係止突起部
２００・・・  カバー部材
２１０・・・  表示パネル
２１１〜２１３・・・  表示窓部
２２１・・・  磁石収容用凹部
２２２・・・  磁性体収容用凹部
３００・・・  筐体
Ｉ・・・表示ユニット
【図１】
2005315470.tif 000003
【図２】
2005315470.tif 000004
【図３】
2005315470.tif 000005
【図４】
2005315470.tif 000006
【図５】
2005315470.tif 000007
【図６】
2005315470.tif 000008
【図７】
2005315470.tif 000009
【図８】
2005315470.tif 000010
【図９】
2005315470.tif 000011
【図１０】
2005315470.tif 000012